(57)【要約】【課題】従来のアタッチメントは、着脱する際に、プライスカードレールや商品陳列棚側への負荷が大きく、着脱作業や位置調整が煩雑であった。【解決手段】商品陳列棚ＢのプライスカードレールＣに装着する陳列棚用表示装置Ａであり、連結具１と、これに着脱可能な表示具２とを備え、連結具１が、プライスカードレールＣへの係止部１１Ａを有する第１連結部材１１と、プライスカードレールＣへの当接部１２Ａを有する第２連結部材１２とを備え、第１連結部材１１が、表示具２の連結部１１Ｂを備え、第２連結部材１２が、第１連結部材１１に対する上下動を拘束するストッパ１３を回動可能に備え、ストッパ１３が、所定の回動位置で第１連結部材１１に圧接する拘束面１３Ａを有する構成にし、プライスカードレールＣに対する着脱を容易にした。【選択図】図１
2020058703.tif 000002
【特許請求の範囲】
【請求項１】
商品陳列棚の前端のプライスカードレールに装着する陳列棚用表示装置であって、
プライスカードレールに着脱可能な連結具と、連結具に対して着脱可能な表示具とを備えており、
連結具が、プライスカードレールの上部内側への係止部を有する第１連結部材と、プライスカードレールの下部への当接部を有する第２連結部材とを備え、
第１連結部材が、表示具を着脱可能に連結する連結部を備え、
第２連結部材が、第１連結部材に対して上下動可能に組み合わされると共に、上下動を拘束するストッパを回動可能に備え、
ストッパが、所定の回動位置で第１連結部材に圧接する拘束面を有していることを特徴とする陳列棚用表示装置。
【請求項２】
構造が異なる複数の表示具を備え、
複数の表示具が、第１連結部材の連結部に対する共通の接続部を有し、
複数の表示具のうちから選択した表示具を連結具に連結することを特徴とする請求項１に記載の陳列棚用表示装置。
【発明の詳細な説明】
【技術分野】
【０００１】
本発明は、商品陳列棚の前端に設けたプライスカードレールに装着して宣伝広告等の表示物を表示するのに用いられる陳列棚用表示装置に関するものである。
【背景技術】
【０００２】
従来における陳列棚用表示装置としては、商品陳列棚装着用アタッチメントの名称で特許文献１に記載されているものがある。特許文献１に記載のアタッチメントは、商品陳列棚の前端に沿って配置したプライスカードレールに装着する本体部と、本体部の前方に位置する商品陳列部と、本体部と商品陳列部とを連結する連結部材とを備えている。本体部は、金属板を折り曲げ形成したものであり、プライスカードレールの上下に係合するように断面凹状に形成してある。商品陳列部及び連結部材は、金属製の棒材を所定形状に折り曲げ形成したものである。
【０００３】
上記構成を備えたアタッチメントは、商品陳列棚に取り付ける場合には、本体部をプライスカードレールに押し付けて、本体部を弾性変形させつつプライスカードレールの上下に係合させる。また、アタッチメントは、商品陳列棚から取り外す場合には、本体部をプライスカードレールから引き離すようにし、本体部を弾性変形させつつプライスカードレールの上下から離脱させる。
【先行技術文献】
【特許文献】
【０００４】
【特許文献１】特開２００６−２５５０４８号公報
【発明の概要】
【発明が解決しようとする課題】
【０００５】
しかしながら、上記したような従来のアタッチメントは、プライスカードレールに対して、金属板から成る本体部を弾性変形させつつ着脱を行うことから、プライスカードレールや商品陳列棚側への負荷が大きく、着脱作業や位置調整が煩雑であるという問題点があり、このような問題点を解決することが課題であった。
【０００６】
本発明は、上記従来の課題に着目して成されたもので、商品陳列棚の前端のプライスカードレールに装着する陳列棚用表示装置であって、プライスカードレールに対する着脱が容易であり、しかも、商品や表示物の様々な表示に対応可能な陳列棚用表示装置を提供することを目的としている。
【課題を解決するための手段】
【０００７】
本発明に係わる陳列棚用表示装置は、商品陳列棚の前端のプライスカードレールに装着するものであって、プライスカードレールに着脱可能な連結具と、連結具に対して着脱可能な表示具とを備えており、連結具が、プライスカードレールの上部内側への係止部を有する第１連結部材と、プライスカードレールの下部への当接部を有する第２連結部材とを備え、第１連結部材が、表示具を着脱可能に連結する連結部を備え、第２連結部材が、第１連結部材に対して上下動可能に組み合わされると共に、上下動を拘束するストッパを回動可能に備え、ストッパが、所定の回動位置で第１連結部材に圧接する拘束面を有していることを特徴としている。
【発明の効果】
【０００８】
本発明に係わる陳列棚用表示装置は、第１連結部材の係止部をプライスカードレールの上部内側に係合させると共に、第２連結部材の当接部をプライスカードレールの下部に当接させ、この状態でストッパを回動させるだけで、プライスカードレールへの連結具の装着が完了する。つまり、陳列棚用表示装置の連結具は、プライスカードレールに対する係合位置及び当接位置の２箇所を規制することにより装着状態を維持する。なお、連結具と表示具との連結は、プライスカードレールへの連結具の装着前及び装着後のいずれでも構わない。
【０００９】
また、陳列棚用表示装置は、プライスカードレールから連結具を取り外すには、ストッパを回動させるだけである。つまり、陳列棚用表示装置は、第１連結部材に対する第２連結部材の拘束を解除すれば、第２連結部材が上下動可能になり、プライスカードレールに対する係合位置及び当接位置の２箇所の規制が解除される。
【００１０】
このようにして、本発明に係わる陳列棚用表示装置は、プライスカードレールに対する着脱が容易であり、しかも、連結具と表示具とが互いに着脱可能であるから、商品や表示物の様々な表示に対応することが可能である。
【図面の簡単な説明】
【００１１】
【図１】本発明に係わる陳列棚用表示装置の第１実施形態を説明する側面図（Ａ）、及び連結具と表示具の組み立て要領を説明する側面図（Ｂ）である。
【図２】連結具を説明する分解状態の正面図及び平面図（Ａ）、並びに側面図（Ｂ）である。
【図３】固定具を説明する分解状態の側面図（Ａ）、ベース部材の正面図（Ｂ）、ベース部材の平面図（Ｃ）、及びホルダ部材の側面図（Ｄ）である。
【図４】図１に示す陳列棚用表示装置をプライスカードレールに装着する要領を説明する側面図（Ａ）、及び仕切板の正面図（Ｂ）である。
【図５】図４に続いて陳列棚用表示装置をプライスカードレールに装着した状態を示す側面図である。
【図６】本発明に係わる陳列棚用表示装置の第２実施形態において表示具に吊持体を設けた構成を示す側面図（Ａ）、２本の吊持体を設けた構成を示す側面図（Ｂ）及び正面図（Ｃ）である。及び
【図７】本発明に係わる陳列棚用表示装置の第３実施形態における表示具を説明する分解状体の側面図（Ｂ）、及び組立状態の側面図（Ｂ）である。
【図８】本発明に係わる陳列棚用表示装置の第４実施形態における表示具を説明する分解状体の側面図（Ｂ）、及び組立状態の側面図（Ｂ）である。
【発明を実施するための形態】
【００１２】
〈第１実施形態〉
図１に示す陳列棚用表示装置Ａは、商品陳列棚Ｂの前端のプライスカードレールＣに装着するものであり、プライスカードレールＣに着脱可能な連結具１と、連結具１に対して着脱可能な表示具２とを備えている。プライスカードレールＣは、基本的には、前方側に開放された断面概略Ｃ形状の長尺材であり、商品陳列棚Ｂの前端に沿って固定してある。
【００１３】
なお、以下の説明では、陳列棚用表示装置を「表示装置」と略記する。また、以下の説明では、商品陳列棚Ｂの前後方向（図１中で左右方向）を基準にして、各構成の前後左右及び上下の位置関係を示す。
【００１４】
連結具１及び表示具２は、各々の材料が限定されるものではないが、生産性や製造コスト等を考慮すると、プラスチック製であることがより望ましく、透明なプラスチック製にすれば、商品や宣伝広告等の表示物をより目立たせるうえで好適である。
【００１５】
連結具１は、概略として、図２に示すように、プライスカードレールＣの上部内側への係止部１１Ａを有する第１連結部材１１と、プライスカードレールＣの下部への当接部１２Ａを有する第２連結部材１２とを備えている。第１連結部材１１は、表示具２を着脱可能に連結する連結部１１Ｂを備えている。
【００１６】
第２連結部材１２は、第１連結部材１１に対して上下動可能に組み合わされると共に、上下動を拘束するストッパ１３を回動可能に備え、ストッパ１３が、所定の回動位置で第１連結部材に圧接する拘束面１３Ａを有している。なお、図２（Ａ）の上段は、第１連結部材１１の正面図であり、図２（Ａ）の中段及び下段は、第２連結部材１２及びストッパ１３の平面図である。図２（Ｂ）の上段、中段及び下段は、図２（Ａ）に対する側面図である。
【００１７】
第１連結部材１１は、図２（Ａ）及び（Ｂ）の上段に示すように、前端側を正面とする概略板状の部材であって、上側半分を後方に傾斜させ且つ下側半分を垂直にした本体部Ｃを有する。そして、第１連結部材１１は、本体部Ｃの傾斜部分の上部を背面方向に屈曲させた状態にして、その上端を先述した係止部１１Ａとしている。
【００１８】
また、第１連結部材１１は、本体部Ｃの垂直部分の正面上側に、表示具２の連結部１１Ｂを備えている。この連結部１１Ｂは、前方に開放された矩形の凹部１１Ｄと、凹部１１Ｄの左右の竪辺に沿って形成したリブ１１Ｅ，１１Ｅとを有している。また、連結部１１Ｂの中央上部には、下端を固定端とし且つ上端を自由端とするばね片１１Ｆが設けてある。ばね片１１Ｆは、正面の上部に凸部１１Ｇを有する。さらに、第１連結部材１１は、垂直部の左右両側に、表示具２を上下動可能に組み込むためのリブ状の案内部１１Ｈ，１１Ｈを有している。
【００１９】
第２連結部材１２は、図２（Ａ）及び（Ｂ）の中段に示すように、略水平に配置される基板１２Ｂと、基板１２Ｂの両側から斜め下方に延出する一対のアーム部１２Ｃ，１２Ｃと、各アーム部１２Ｃの夫々の先端部に形成したピン穴１２Ｄとを有し、基板１２Ｂの上面を先述した当接部１２Ａとしている。図１に示す当接部１２Ａには、複数の凸部から成る樹脂製の滑り止め１４が設けてある。
【００２０】
ストッパ１３は、図２（Ａ）及び（Ｂ）の下段に示すように、概略Ｔ形状を成す部材であって、両端に配置したカム部１３Ｂ，１３Ｂと、各カム部１３Ｂの側面から突出するピン部１３Ｃ，１３Ｃと、中央の操作部１３Ｄを有している。各カム部１３Ｂは、とくに図２（Ｂ）の下段に示すように、操作部１３Ｄが垂下した状態で下側となる面に、先述した拘束面１３Ａを有している。拘束面１３Ａは、カム部１３Ｂの周面の一部であって、ピン部１３Ｃの中心からの距離が他の部位よりも大きい部位である。
【００２１】
第２連結部材１２は、第１連結部材１１に対して、案内部１１Ｈ，１１Ｈの両側に、両アーム部１２Ｃ，１２Ｃが位置するように組み込まれ、その後、ストッパ１３の両端のピン部１３Ｃを各アーム部１２Ｃの内側から夫々のピン穴１２Ｄに係合させる。これにより、第２連結部材１２は、案内部１１Ｈの長さ分だけ上下動可能である。なお、第２連結部材１２は、第１連結部材１の下端部により下方への脱落が阻止される。
【００２２】
また、第２連結部材１２は、上記の如く第１連結部材１１に組み込んだ状態では、ストッパ１３の操作部１３Ｄが自然に垂れ下がり、カム部１３Ｂの周面が案内部１２Ｃから離間しているので、第１連結部材１１に対して上下動可能である。
【００２３】
この実施形態の表示具２は、図３（Ａ）に示すように、ベース部材２１とホルダ部材２２とを備えている。ベース部材２１は、図３（Ｂ）及び（Ｃ）に示すように、連結具１の前方の延出する本体部２１Ａと、本体部２１Ａの後端に設けた接続部２１Ｂと、本体部の前端上部に設けた係合凹部２１Ｃと、本体部の前端下部に設けたフック部２１Ｄとを有している。
【００２４】
接続部２１Ｂは、本体部２１Ａの後端において、矩形の鍔状を成しており、先述の第１連結部材１１の連結部１１Ｂに上側から嵌合することにより、連結具１に表示具２を連結する。この際、接続部２１Ｂは、ばね片１１Ｆの凸部１１Ｇにより、上方への抜け止めが成される。
【００２５】
この実施形態のホルダ部材２２は、図３（Ｄ）に示すように、一対の挟持片２２Ａ，２２Ａの下端部同士を連結すると共に、その下部中央に、ベース部材２１の係合凹部２１Ｃに係合する係合凸部２２Ｂを有している。ホルダ部材２２は、一対の挟持片２２Ａ，２２Ａの間で、商品のプライスカードや宣伝広告を記載したシート状の表示物を保持する。
【００２６】
ホルダ部材２２は、ベース部材２１の係合凹部２１Ｃに対して、適当な摩擦力をもって係合凸部２２Ｂを係合させることで、垂直軸回りに回動可能であると共に、任意の回動位置を維持することができる。フック部２１Ｄは、前方に開放されており、商品や表示物等を吊り下げる部分である。その具体的な使用例は、次の第２実施形態で説明する。
【００２７】
上記構成を備えた表示装置Ａは、図４に示すように、商品陳列棚ＢのプライスカードレールＣに装着する。ここで、図４に示す商品陳列棚Ｂは、仕切板１００及び表示体１０１を備えている。この仕切板１００及び表示体１０１は、店舗等の商品陳列棚に適用されている周知のものである。
【００２８】
仕切板１００は、商品陳列棚Ｂ上をその幅方向に仕切る本体部１００Ａと、本体部１００Ａの前端に固定した保持板１００Ｂとを有している。本体部１００Ａと保持板１００Ｂは、互いに直角である。保持板１００Ｂは、その後面の下辺に沿って、後方に突出する係合突起１００Ｃを有している。
【００２９】
他方、表示体１０１は、前後に配置した第１及び第２のプレート１０１Ａ，１０１Ｂを有する。第１及び第２のプレート１０１Ａ，１０１Ｂは、下端部同士で連結してあり、第２プレート１０１Ｂの上端には、ヒンジ１０１Ｃを介して、装着板１０１Ｄの上端が回動可能に連結してある。装着板１０１Ｄは、その後面の下端近傍に沿って、上向きに屈曲した鉤片１０１Ｅを有する。鉤片１０１Ｅの内側には、上方に開放した係合溝１０１Ｆが形成されている。
【００３０】
上記の表示体１０１は、図４中の矢印Ａ１で示すように、装着板１０１Ｄの下端部を商品陳列棚Ｂの溝部Ｄに差し込むと共に、図４中の矢印Ａ２で示すように、係合溝１０１Ｆに保持板１００Ｂの下端部を係合することで、仕切板１００に装着される。この際、係合溝１０１Ｆと保持板１００Ｂとの係合は、鉤片１０１Ｅを弾性変形させつつ、係合溝１０１Ｆの開放部から保持板１００Ｂを押し込んでも良いし、係合溝１０１Ｆの端部から保持板１００Ｂを挿入して、適当な位置までスライドさせても良い。
【００３１】
その後、仕切板１００及び表示体１０１は、溝部Ｄと装着板１０１Ｄとの係合、及び係合溝１０１Ｆと保持板１００Ｂの係合突起１００Ｃとの係止により、上下方向及び前後方向の位置決めが成される。
【００３２】
上記の仕切板１００及び表示体１０１は、主に、透明なプラスチックで形成してある。そして、表示体１０１は、第１及び第２のプレート１０１Ａ，１０１Ｂの間に、商品の価格や宣伝広告等を記載したシート状の表示物を差し込むようになっている。
【００３３】
上記の仕切板１００及び表示体１０１を備えた商品陳列棚Ｂにおいて、表示装置Ａは、図４中の矢印Ａ３で示すように、第１連結部材１１の係止部１１ＡをプライスカードレールＣの上部内側に係合させると共に、さらに、図５に示すように、第２連結部材１２の当接部１２ＡをプライスカードレールＣの下部に当接させ、この状態でストッパ１３をプライスカードレールＣ側へ回動（図５中の矢印Ａ４）させるだけで、プライスカードレールＣへの連結具１の装着が完了する。
【００３４】
より具体的に説明すると、表示装置Ａは、第１連結部材１１の係止部１１ＡをプライスカードレールＣの上部内側に係合させた状態にして、第２連結部材１２の上下位置を調整しつつプライスカードレールＣの下部に当接部１２Ａを当接させる。その後、表示装置Ａは、ストッパ１３をプライスカードレールＣ側に回動させると、第１連結部材１１の案内部１２Ｃの正面（リブ面）に、カム部１３Ｂの拘束面１３Ａが圧接する。
【００３５】
これにより、表示装置Ａは、第１連結部材１１に対する第２連結部材１２の上下動を拘束し、プライスカードレールＣに対する係止部１１Ａの係合位置と、当接部１２Ａの当接位置との２箇所を規制することにより、プライスカードレールＣに対する装着状態を維持する。
【００３６】
また、連結具１と表示具２との連結は、プライスカードレールＣへの連結具１の装着前及び装着後のいずれでも行うことができる。連結具１と表示具２との連結は、先述したように、連結部１１Ｂに対してその上側から接続部２１Ｂを嵌合する。この際、接続部２１Ｂは、ばね片１１Ｆの凸部１１Ｇにより上方への動きが規制される。さらに、連結具１と表示具２との連結を解除するには、凸部Ｇを押してばね片１１Ｆを後方に撓ませた状態にし、連結部１１Ｂから接続部２１Ｂを上方に離脱させれば良い。
【００３７】
さらに、この実施形態では、先述したように、仕切板１００及び表示体１０１を備えた商品陳列棚Ｂへの適用を例示している。この場合、表示装置Ａは、図５に示すように、表示体１０１の下部が第１連結部材１１の傾斜部１１Ｂの正面に重なるだけで、当該表示装置Ａが無い場合と比べても、第１及び第２のプレート１０１Ａ，１０１Ｂの傾斜角度の変化は小さい。したがって、表示装置Ａは、既存の表示体１０１の機能を何ら損なうことなく、プライスカードレールＣに装着することができる。
【００３８】
また、表示装置Ａは、ストッパ１３を前方側に回動させるだけで、プライスカードレールＣから容易に取り外すことができる。つまり、表示装置Ａは、第１連結部材１１に対する第２連結部材１２の拘束を解除すれば、第２連結部材が上下動可能になり、プライスカードレールＣに対する係合位置と当接位置との２箇所の規制が解除される。
【００３９】
このように、本発明に係わる表示装置Ａは、プライスカードレールＣに対する着脱が容易であり、着脱作業を行う際、プライスカードレールＣや商品陳列棚Ｂに対する負荷は極めて小さく、負荷は殆ど無いと云える。また、表示装置Ａは、連結具１と表示具２とが互いに着脱可能であるから、以下の実施形態で説明するように、商品や表示物の様々な表示に対応することが可能である。
【００４０】
なお、上記実施形態の表示装置Ａは、第１連結部材１１の案内部１１Ｈにストッパ１３の拘束面１３Ａを圧接させて、第２連結部材１２の上下動を拘束している。このような構成の表示装置Ａでは、例えば、第１連結部材１１の背面に、上下方向に歯列を配置したラック部を設けると共に、第２連結部材１２にラック部に係脱する歯（爪）を設ける構成も有効である。これらのラック部及び歯（爪）を採用すれば、第１連結部材１１に対する第２連結部材１２の拘束状態をより強固にすることができる。
【００４１】
図６〜図８は、本発明に係わる表示装置の第２〜第４の実施形態を説明する図である。以下の各実施形態において、第１実施形態と同等の構成部位は、同一の符号を付して詳細な説明を省略する。
【００４２】
〈第２実施形態〉
この実施形態の表示装置Ａは、第１実施形態のものと同等の構成を有している。この実施形態は、表示具２の使用例を示すもので、表示具２のフック部２１Ｄに吊持体３０が取り付けてある。
【００４３】
吊持体３０は、概略帯状のプラスチック製部材であって、本体部３０Ａの片面に、複数の吊持用鉤部３０Ｂが上下方向に所定間隔で配置してある。また、吊持体３０は、本体部３０Ａの上部に、一部を幅広にした表示部３０Ｃを有し、この表示部３０Ｃの上部に、吊持用穴３０Ｄを有している。表示部３０Ｃには、商品の価格や宣伝広告等を設けることができる。
【００４４】
表示装置Ａは、図６（Ａ）に示すように、吊持用鉤部３０Ｂが正面になる向きにして、吊持体３０の吊持用穴３０Ｄを表示具２のフック部２１Ｄに掛止する。そして、吊持体３０は、吊持用鉤部３０Ｂに、図中仮想線で示す商品Ｅを掛止する。この際、表示装置Ａは、例えば、表示具２のホルダ部材２２に、商品Ｅの価格や宣伝広告等の表示物を取り付け、ホルダ部材２２の向きが商品Ｅの向きと一致するように回動位置を調整する。
【００４５】
また、表示装置Ａは、図６（Ｂ）及び（Ｃ）に示すように、２本の吊持体３０，３０を吊持することができる。この場合、表示装置Ａは、フック部２１Ｄに、Ｓ型フック３１を介して、２本の吊持体３０，３０を吊持する。この際、両吊持体３０，３０は、夫々の吊持用鉤部３０Ｂが互いに相反する向きになるように取り付けられ、夫々の吊持用鉤部３０Ｂに商品Ｅを掛止する。
【００４６】
このとき、表示装置Ａは、ホルダ部材２２に設けた表示物の向きと商品Ｅの向きとが一致するように、ホルダ部材２２を回動させることができる。このように、この実施形態の表示装置Ａは、表示物の表示と商品Ｅの展示とを同時に行うことができる。
【００４７】
〈第３実施形態〉
図７に示す表示装置Ａは、第１実施形態と同様の構成を有する連結具１と、ホルダ部材（２２）に類似した構成を有する表示具４０とを備えている。表示具４０は、一対の挟持片４０Ａ，４０Ａの端部同士を連結すると共に、その連結部分の中央に、軸部４０Ｂを介して、第１実施形態の表示具（２）の接続部（２１Ｂ）と同様の鍔状の接続部４０Ｃを有している。
【００４８】
上記の表示装置Ａは、連結具１の連結部１１Ｂに、図７（Ａ）に示すように、表示具４０の接続部４０Ｃを嵌合することで、連結具１と表示具４０とを連結する。この状態において、表示具４０は、一対の挟持片４０Ａ，４０Ａの間で表示物を保持し、図７（Ｂ）に示すように、軸部４０Ｂにより、一対の挟持片４０Ａ，４０Ａを水平軸回りに回動させることができる。
【００４９】
上記の表示装置Ａは、先の実施形態と同様に、プライスカードレールＣに対する着脱が容易であり、しかも、連結具１と表示具４０とが互いに着脱可能であるから、商品や表示物の様々な表示に対応することが可能である。
【００５０】
〈第４実施形態〉
図８に示す表示装置Ａは、第１実施形態と同様の構成を有する連結具１と、上方に開放された箱形の表示具５０とを備えている。表示具５０は、例えば、透明なプラスチック製であって、本体部５０Ａの背面に、保持部５０Ｂを介して、第１実施形態の表示具（２）の接続部（２１Ｂ）と同様の鍔状の接続部５０Ｃを有している。
【００５１】
上記の表示装置Ａは、連結具１の連結部１１Ｂに、表示具５０の接続部５０Ｃを嵌合することで、連結具１と表示具５０とを連結する。この状態において、表示具５０は、箱形の本体部５０Ａに、商品サンプルや試供品等を収容することができる。また、本体部５０Ａの外面に、商品の価格や宣伝広告等の表示物を設けることも可能である。
【００５２】
上記の表示装置Ａは、先の実施形態と同様に、プライスカードレールＣに対する着脱が容易であり、しかも、連結具１と表示具４０とが互いに着脱可能であるから、商品や表示物の様々な表示に対応することが可能である。
【００５３】
上記の第１〜第４の実施形態から明らかなように、本発明に係わる表示装置Ａは、構造が異なる複数の表示具２，４０、５０を備え、複数の表示具２，４０，５０が、第１連結部材１１の連結部１１Ｂに対する共通の接続部２１Ｂ，４０Ｃ，５０Ｃを有し、複数の表示具２，４０，５０のうちから選択した表示具を連結具１に連結する構成にすることができる。
【００５４】
これにより、表示装置Ａは、既存の商品陳列棚のプライスカードレールに対して着脱が容易であるうえに、商品の陳列や宣伝広告類の表示に関して、様々なバリエーションを得ることができ、ＰＯＰ用品として利用価値が極めて高いものとなる。
【００５５】
本発明に係わる陳列棚用表示装置は、具体的な構成が上記各実施形態に限定されるものではなく、本発明の要旨を逸脱しない範囲で構成を適宜変更することが可能であり、とくに、表示具にあっては、様々な構造を採用することができる。
【符号の説明】
【００５６】
Ａ  陳列棚用表示装置
Ｂ  商品陳列棚
Ｃ  プライスカードレール
１  連結具
２，４０，５０  表示具
１１  第１連結部材
１１Ａ  係止部
１２  第２連結部材
１２Ａ  当接部
１１Ｂ  連結部
１３  ストッパ
１３Ａ  拘束面
２１Ｂ，４０Ｃ，５０Ｃ  接続部
【図１】
2020058703.tif 000003
【図２】
2020058703.tif 000004
【図３】
2020058703.tif 000005
【図４】
2020058703.tif 000006
【図５】
2020058703.tif 000007
【図６】
2020058703.tif 000008
【図７】
2020058703.tif 000009
【図８】
2020058703.tif 000010